(57)【要約】【課題】  簡素な構成であって、本体への取り付けおよび取り外しが容易且つ確実なファンガードの保持部材、該保持部材を有する空気調和機、および、該保持部材を成形するための型構造を提供することを目的とする。【解決手段】  左右風向板２０が設置される左右風向板ベース５０に風の流れ方向に向けて流線型に形成された、下方保持爪１００と前方保持爪１１０と後方保持爪１２０とを具備するファンガード保持部材８０が形成され、左右風向板ベース５０の下面と下方保持爪１００の上端面とによってファンガード３０の縦桟３１の横部分３１ａが、前方保持爪１１０の後面と後方保持爪１２０の前面とによって縦桟３１の横部分３１ｂが、それぞれ保持される。【選択図】        図１
2005188871.tif 000002
【特許請求の範囲】
【請求項１】
吸込口、吹出口、および該吸込口と該吹出口とを連通する風路を有する本体と、
前記風路に設置された熱交換器および送風ファンと、前記送風ファンに臨ませて前記吹出口に配置された前記送風ファンへの触手防止のためのファンガードと、前記吹出口に配置された略水平方向に風向きを変更するための左右風向板と、前記吹出口の前記左右風向板の風下に配置された略垂直方向に風向きを変更するための上下風向板と、前記左右風向板が回動自在に嵌設され且つ前記ファンガードが着脱自在に取り付けられて、前記本体に設置される左右風向板ベースとを有することを特徴とする空気調和機。
【請求項２】
前記ファンガードが、複数の横桟および複数の縦桟からなるグリル状であって、該縦桟がＵ字、Ｌ字若しくは直線に形成されていることを特徴とする請求項１記載の空気調和機 。
【請求項３】
前記横桟の端部が、風上側に曲げられていることを特徴とする前記請求項２記載の空気調和機。
【請求項４】
前記左右風向板ベースの左右方向の一方の端近くに開閉用の左右風向板ベース側開閉軸受けまたは左右風向板ベース側開閉軸が形成され、
該左右風向板ベース側開閉軸受けまたは左右風向板ベース側開閉軸が、前記本体に設けられた本体側開閉軸または本体側開閉軸受けに回動自在に係合することを特徴とする請求項1乃至３の何れかに記載の空気調和機。
【請求項５】
前記左右風向板ベースの下面に前記ファンガードを保持するためのファンガード保持部材が設けられ、前記本体に設置された状態において該ファンガード保持部材が、風の流れ方向に向けて流線型に形成されていることを特徴とする請求項１乃至４の何れかに記載の空気調和機。
【請求項６】
前記左右風向板ベースが、上下方向に貫通している開口窓と、該開口窓の左右方向の一方の縁に接する所定範囲である上方保持爪と、前記開口部の下方に配置されたファンガード保持部材とを有し、
該ファンガード保持部材が下方保持爪と、該下方保持爪の側面に突出する前方保持爪および後方保持爪とを具備し、
前記上方保持爪の下面と前記下方保持爪の上端面とによって前記ファンガードの縦桟の横部分が保持され、前記前方保持爪の後面と後方保持爪の前面とによって前記ファンガードの縦桟の縦部分が保持されることを特徴とする請求項２乃至５の何れかに記載の空気調和機。
【請求項７】
前記開口窓が所定の間隔をあけて一対配置され、
前記上方保持爪が該一対の開口窓に挟まれて形成され、
前記ファンガード保持部材が前記上方保持爪に対して略対称に配置されていることを特徴とする請求項６記載の空気調和機。
【請求項８】
前記上方保持爪の下面に前記ファンガードの縦桟の横部分が当接する掘り上げ部が形成されていることを特徴とする請求項６または７記載の空気調和機。
【請求項９】
前記掘り上げ部に突条または突起が形成されていることを特徴とする請求項８記載の空気調和機。
【請求項１０】
前記前方保持爪の下端が前記後方保持爪の上端よりもよりも上方に位置することを特徴とする請求項６乃至９の何れかに記載の空気調和機。
【請求項１１】
前記前方保持爪が、後方および下方になる程大きくなる略三角推状であることを特徴とする請求項６乃至１０の何れかに記載の空気調和機。
【請求項１２】
前記上下風向板の開閉を検知するための開閉検知手段が設置され、該開閉検知手段が前記上下風向板が開放していることを検知した開放検知信号に基づいて、前記送風ファンの回転を停止する制御手段を有することを特徴とする請求項１乃至１１の何れかに記載の空気調和機。
【請求項１３】
上下方向に貫通している開口窓と、該開口窓の左右方向の一方の縁に接する所定範囲である上方保持爪と、前記開口部の下方に配置され、下方保持爪とおよび該下方保持爪の側面に突出する前方保持爪並びに後方保持爪とを具備するファンガード保持部材とを具備する、断面略Ｖ字状の左右風向板ベースを成形するための左右風向板ベースの型構造であって、
少なくとも、前記左右風向板ベースの上面、前記開口窓、前記下方保持爪の上端面、および前記前方保持爪の前面乃至上面を成形する上型と、
少なくとも、前記左右風向板ベースの下面、前記上方保持爪の下面、前記前方保持爪の下面、および前記後方保持爪の前面および下面を成形する下型と、
少なくとも前記左右風向板ベースの後面を成形する水平スライド型とを有することを特徴とする左右風向板ベースの型構造。
【発明の詳細な説明】
【技術分野】
【０００１】
本発明は、空気調和機、およびこれに設置されるファンガードが取付けられる左右風向板ベースを成形するための左右風向板ベースの型構造に関する。
【背景技術】
【０００２】
空気調和機において、吹出口にグリル状のファンガードを設置して送風ファンへの触手を防止する発明が多数開示されている。たとえば、
（あ）ガードワイヤを挿通した補助板を吹出口に設置し、該補助板に左右風向板を接合することで、作業性を向上する空気調和機がある（例えば、特許文献１参照）。
（い）羽を覆う保護ガードを備え、該保護ガードがフレームに取り付けられているときにのみ電気回路がオンとなる安全スイッチを有する換気扇がある（例えば、特許文献２参照）。
（う）取り外し可能な格子状開口部の近くに、人体の接近を検知する焦電型赤外線センサーを設置し、人体が接近したことを検知した検知信号に基づいて装置の運転を停止する制御ユニットを有する安全装置付き換気送風装置がある（例えば、特許文献３参照）。
（え）吹出口に配置される複数枚の左右風向板同士を互いに連結するグリル状のファンガードであって、該ファンガードの横桟体が変形吸収部を有する空気調和機がある（例えば、特許文献４参照）。
（お）ノズル上枠構成部材にファンガード取付用嵌合凹部が設けられ、これにファンガードの最上部の横桟が前記ファンガード取付用嵌合凹部に圧入嵌合され、ファンガードの最下部がユニットボックスの下側壁部分と当該下側壁部分に取り付けられる下側パネルとに挟まれて固定された空気調和機のファンガード取付構造がある（例えば、特許文献５参照）。
【０００３】
【特許文献１】特開平８−２８５３６１号公報（３頁、図１）
【特許文献２】特開平４−３８３９号公報（２頁、図１）
【特許文献３】特開平５−７９６６６号公報（２−４頁、図１）
【特許文献４】特開平１１−２６４５７２号公報（３頁、図１）
【特許文献５】特開平１０−１３２３１８号公報（３−５頁、図１）
【発明の開示】
【発明が解決しようとする課題】
【０００４】
しかしながら、前記（あ）は、ワイヤ製のファンガードが補助板に挿通され、補助板に左右風向板が設置され、補助板が本体に設置されるため、前記挿通作業、および風路の清掃時等における左右風向板およびファンガードの撤去作業が煩雑であるとともに、廃却時に金属であるワイヤと樹脂製の補助板とを分離することが困難になるという問題があった。
前記（い）は、保護ガード自体が安全スイッチを作動するものであるため、保護ガードを撤去した直後は換気扇がまだ回転している場合があるという問題があった。
前記（う）は、焦電型赤外線センサーが高価であって所定の大きさを具備するため、換気送風装置の価格が上昇し、風流れが乱されるおそれがあるという問題があった。
前記（え）は、ファンガードと左右風向板が一体的に形成されているため、一方のみの交換ができないという問題があった。
前記（お）は、ファンガードを確実且つ容易に取付けることができるという効果を奏するものの、吹出口の上側壁部分と下側壁部分とを跨ぐようにファンガードを設置するため、ファンガードをこれに対応した大きさにして、吹出口の下側壁部分と下側パネルと間にファンガードの最下部を挟み込むための隙間を設ける必要が生じていた。また、風路の清掃時等においてファンガードを撤去する際、送風ファンを確実に停止させたいという要請があった。
【０００５】
本発明は上記に鑑みてなされたものであって、簡素な構成であって、本体への取り付けおよび取り外しが容易且つ確実なファンガードの保持部材（以下、左右風向板ベースと称す）、該左右風向板ベースを有する空気調和機、および、該左右風向板ベースを成形するための左右風向板ベースの型構造を提供することを目的とする。
【課題を解決するための手段】
【０００６】
本発明に係る空気調和機は、吸込口、吹出口、および該吸込口と該吹出口とを連通する風路を有する本体と、前記風路に設置された熱交換器および送風ファンと、前記送風ファンに臨ませて前記吹出口に配置された前記送風ファンへの触手防止のためのファンガードと、前記吹出口に配置された略水平方向に風向きを変更するための左右風向板と、前記吹出口の前記左右風向板の風下に配置された略垂直方向に風向きを変更するための上下風向板と、前記左右風向板が回動自在に嵌設され且つ前記ファンガードが着脱自在に取り付けられて、前記本体に設置される左右風向板ベースとを有することを特徴とする。
【０００７】
また、本発明に係る左右風向板ベースの型構造は、上下方向に貫通している開口窓と、該開口窓の左右方向の一方の縁に接する所定範囲である上方保持爪と、前記開口部の下方に配置され、下方保持爪および該下方保持爪の側面に突出する前方保持爪並びに後方保持爪とを具備するファンガード保持部材とを具備する、断面略Ｖ字状の左右風向板ベースを成形するためのものであって、
少なくとも、前記左右風向板ベースの上面、前記開口窓、前記下方保持爪の上面、および前記前方保持爪の前面乃至上面を成形する上型と、
少なくとも、前記左右風向板ベースの下面、前記上方保持爪の下面、前記前方保持爪の下面、および前記後方保持爪の前面および下面を成形する下型と、
少なくとも前記左右風向板ベースの後面を成形する水平スライド型とを有することを特徴とする。
【発明の効果】
【０００８】
したがって、空気調和機が簡素な部材構成によって製造され、該部材が単純な型構造によって成形されるから、製造コストの低減化、保守・点検の容易確実化、部材交換の容易並びに分別廃棄の容易化が図られる。
【発明を実施するための最良の形態】
【０００９】
以下、実施形態１として本発明の実施形態に係る空気調和機を、実施形態２として該空気調和機に設置される左右風向板ベースを、実施形態３として該左右風向板ベースを成形するため左右風向板ベースの型構造を説明する。なお、以下の各図において、同じ部分または相当する部分には同じ符号を付し、一部の説明を省略する。
【００１０】
［実施形態１］
（空気調和機）
図１、２および３は本発明の実施形態１に係る空気調和機を示す側面視の断面図、一部断面の斜視図、および一部の拡大断面図である。
図１において、空気調和機本体１０（以下、本体と称す）には、下前面（図中左側）に開口した吸込口１１と下面（図中下側）に開口した吹出口１２とが形成され、吸込口１１と吹出口１２とを連通する空気通路１３(以下、風路と称す)には、側面視で略Ｃ字状に熱交換器１４が配置され、また、本体１０の略中央に送風ファン１５が設置されている。
そして、吹出口１２において送風ファン１５に近い位置（以下、吹出口１２の風上と称す）に略水平方向に風向きを変更するための左右風向板２０と、送風ファン１５に臨ませて送風ファン１５への触手防止のためのファンガード３０とが設置されている。
また、吹出口１２の口元に略垂直方向に風向きを変更するための上下風向板４０が設置されている。
なお、左右風向板２０は左右風向板ベース５０に回動自在に嵌設され、また、ファンガード３０も左右風向板ベース５０に着脱自在に取り付られている（これについては、別途詳細に説明する）。そして、左右風向板ベース５０は、吹出口１２を形成する吹出ノズル本体６０に固定されている。
【００１１】
（上下風向板）
図４は本発明の実施形態に係る空気調和機における上下風向板を説明する部分正面図であって、（ａ）は上下風向板の取り付け状態、（ｂ）は上下風向板の取り外し状態である。図３において、上下風向板４０の一方の端部近く（図中左）には上下風向板第１固定軸４１が、略中央には上下風向板第２固定軸４２が、それぞれ左右方向に移動自在に設置され、他方の端部近く（図中右）には上下風向板第３固定軸受け４３が設置されている。
【００１２】
図４に（ａ）において、上下風向板第１固定軸４１は左方向に移動して、吹出ノズル本体６０の一方の側面６０ａ（図中左）に設けられた上下風向板第１固定軸受け６１に侵入している。このとき、上下風向板第１固定軸４１の先端は、側面６０ａに設置されたリミットスイッチ７０の検知レバー７１に当接して、これを倒している（ＯＮに同じ）。
また、上下風向板第２固定軸４２は左方向に移動して、吹出ノズル本体６０の左右方向の略中央で下方に延設された延長アーム部６０ｂに設けられた上下風向板第２固定軸受け６２に侵入している。
一方、吹出ノズル本体６０の他方の側面６０ｃ（図中右）には、吹出口１２側（図中左方向）に突出する上下風向板第３固定軸６３が設置され、これが上下風向板第３固定軸受け４３に侵入している。なお、吹出ノズル本体６０側に固定軸受けを配置して、吹出口１２側に突出する固定軸を設置してもよい。
したがって、上下風向板４０は吹出ノズル本体６０（本体１０に同じ）に確実に設置され、リミットスイッチ７０が該設置状態を検知している。
【００１３】
図４に（ｂ）において、上下風向板第１固定軸４１は右方向に移動して上下風向板第１固定軸受け６１から抜け出し、上下風向板第１固定軸４１の先端はリミットスイッチ７０の検知レバー７１から離れている（ＯＦＦに同じ）。また、上下風向板第２固定軸４２も右方向に移動して上下風向板第２固定軸受け６２から抜け出している。
したがって、上下風向板４０は吹出ノズル本体６０（本体１０に同じ）から容易に取り外すことができることになる。そして、リミットスイッチ７０が該取り外し状態を検知している。
【００１４】
よって、リミットスイッチ７０が前記取り外し状態を検知（ＯＦＦに同じ）したとき送風ファン１５を停止するように図示しない制御手段によって制御すれば、風路１３の清掃時等には送風ファン１５が確実に停止していることになる。
【００１５】
図５は、図４に示す上下風向板の取り外し工程および取り付け工程を説明する模式図ある。
図５において取り外し工程は、まず、上下風向板第１固定軸４１を右方向に移動して、上下風向板第１固定軸受け６１から抜き出す（図５の（Ｓ１））。このとき、リミットスイッチ７０はＯＦＦになるから、送風ファン１５は回転不能になる。次に、上下風向板第２固定軸４２を右方向に移動して、上下風向板第２固定軸受け６２から抜き出す（図５の（Ｓ２））。最後に、上下風向板第３固定軸６３を支点にして、上下風向板４０を斜めにして本体１０から取り外す（図５の（Ｓ３））。
【００１６】
一方、取り付け工程は、まず、上下風向板第３固定軸６３を上下風向板４０の上下風向板第３固定軸受け４３に係合させて、これを支点にして上下風向板４０を吹き出しノズル６０内に収容する（図５の（Ｓ４））。
次に、上下風向板第２固定軸４２を左方向に移動して、上下風向板第２固定軸受け６２に挿入する（図５の（Ｓ５））。最後に、上下風向板第１固定軸４１を左方向に移動して、上下風向板第１固定軸受け６１に挿入する（図５の（Ｓ６））。このとき、リミットスイッチ７０はＯＮになるから、送風ファン１５は回転可能になる。
なお、以上は、上に配置された上下風向板について取り外し工程を、また、下に配置された上下風向板について取り付け工程を説明しているが、いずれの上下風向板において、取り外し工程および取り付け工程は同一である。
【００１７】
（ファンガード）
図６は本発明の実施形態に係る空気調和機におけるファンガードを説明するものであって、（ａ）は正面図、（ｂ）は側面図である。図６において、ファンガード３０は、縦桟３１、３２、３３、および横桟３４、３５によって形成されたグリル状である。
縦桟３１はＵ字状に形成され、横部分３１ａと縦部分３１ｂとを有し、縦桟３２はＬ字状に形成され、横部分３２ａと縦部分３２ｂとを有している。そして、横部分３１ａと横部分３２ａとが横桟３４からグリルの外側（本体１０に設置された際に略上方）に突出している。
また、横桟３４、３５の一方側の端（図中左）は一方に（本体１０に設置された際に本体１０の奥側、すなわち、風上に向かって）曲げられ、曲折部分３４ｃ、３５ｃが形成されている。
【００１８】
（左右風向板ベース）
図７は本発明の実施形態に係る空気調和機における左右風向板ベースを説明するものであって、（ａ）は正面図、（ｂ）は側面図である。図７において、左右風向板ベース５０には、６枚の左右風向板２０が回動自在に嵌設され、ファンガード３０（図示しない）を保持するためのファンガード保持部材８０が設けられている（これについては別途詳細に説明する）。
また、左右風向板ベース５０の一方の端部（図中右端部）近くに、左右風向板ベース５０を吹出口１２（本体１０に同じ）に回動自在に設置するための開閉軸受け５９が設置されている。
したがって、吹出口１２に設置された開閉軸（図示しない）に開閉軸受け５９を係止すれば、これを支点にして左右風向板ベース５０を容易に開閉することができる。
また、ファンガード保持部材８０は吹出口１２に設置された状態（閉じた状態に同じ）で風の流れ方向に流線形であるため、吹き出される風への抵抗が最少となり、風流れの乱れ発生が最少に抑えられることにより、ファンガード等への結露が抑えられるという効果を奏する。なお、左右風向板ベース５０側に開閉軸を配置して、吹出口１２側に開閉軸受けを設置してもよい。
【００１９】
（ファンガードと左右風向板との組立部材）
図８は本発明の実施形態に係る空気調和機におけるファンガードと左右風向板との組立部材を説明する正面図である。図８において、ファンガード保持部材８０および上方保持爪９０によってファンガード３０の縦桟３１が保持されている（これについては別途詳細に説明する）。すなわち、左右風向板２０とファンガード３０と左右風向板ベース５０とが一体的に組み立てられている（以下、該組み立てられたものを組立部材２００と称す）。
したがって、ファンガード３０が金属によって形成され、左右風向板ベース５０と左右風向板２０とが樹脂によって形成されている場合であっても、これらが接着剤等で接着されていないから、組み立てのみならず、分解・分別も容易である。すなわち、組立部材２００は一部交換後または廃棄後において、環境に友好的である。
【００２０】
（組立部材の開閉状態）
図９は、図８に示す組立部材の開閉状態を説明する模式図であって、（ａ）は一方の組立部材のみが開いた状態、（ｂ）は両方の組立部材が開いた状態である。
図９の（ａ）において、あらかじめ、上下風向板４０（図示しない）が吹出口１２から撤去されているから、該撤去信号に基づいて送風ファン１５（図示しない）は回転を停止している。そこで、吹出口１２に設置された一対の組立部材２００ａ、２００ｂの内、右側の組立部材２００ｂの正面左側に開閉摘み５８ｂ設置されているから、開閉摘み５８ｂを手前に引っ張れば、組立部材２００ｂは開閉軸５９ｂ（図示しない）を支点にして回動する。
【００２１】
同様に、左側の組立部材２００ａの開閉摘み５８ａを手前に引っ張れば、組立部材２００ａは回動するから、一対の組立部材２００ａ、２００ｂは観音開き状に開いて吹出口１２は開放されることになる（図９の（ｂ）参照）。したがって、左右風向板２０を本体１０から取り外すことなく、該開放状態において風路１３や左右風向板２０の清掃、あるいは送風ファン１５の点検等をすることができるから、該清掃あるいは点検等の作業が容易且つ迅速になる。
【００２２】
そして、前記清掃あるいは点検等が終了した後は、組立部材２００ａ、２００ｂを閉じて吹出口１２を送風自在にカバーし、次に、上下風向板４０を吹出ノズル本体６０（本体１０に同じ）に設置する。そうすると、前記のように、リミットスイッチ７０が該設置状態を検知するから、該設置検知信号に基づいて送風ファン１５は回転可能の状態になる。このとき、組立部材２００ａ、２００ｂは容易に閉じ、また、上下風向板４０も容易に設置できるから、該清掃あるいは点検等の作業後の復元が迅速になる。
【００２３】
なお、上下風向板４０を吹出ノズル本体６０（本体１０に同じ）に設置したまま、組立部材２００ａ、２００ｂを開いた場合、組立部材２００ａ、２００ｂの開閉摘み５８側が上下風向板４０に当接する半開き状態になる。このとき、吹出口１２の中央部に隙間ができることになるが、ファンガード３０の横桟３４、３５の一方の端部が風上に向かって折り曲げられているため、該隙間は折り曲げられている曲折部分３４ｃ、３５ｃによって送風自在にカバーされることになる。
また、本発明は一対の組立部材が配置されたものに限定するものではなく、１枚でも３枚以上であっもよい。
【００２４】
［実施形態２］
（左右風向板ベース）
図１０、１１および１２は本発明の実施形態２に係る空気調和機に用いる左右風向板ベースを示す一部を断面した部分斜視図、下面図、および側面視の断面図である。なお、図１２の（ａ）、（ｂ）、（ｃ）および（ｄ）は、それぞれ図１１に示す位置Ａ、Ｂ、ＣおよびＤを通る側面視の断面である。
図１０、１１および１２において、左右風向板ベース５０は後方に向かって開口するＶ字状溝５２を有する断面Ｖ字状体であって、前方に向かって楔状に形成された下面５３および上面５４とを有している。そして、上面５４が吹出ノズル本体６０に当接して固定され、下面５３が吹出口１２の一部を形成する。
左右風向板ベース５０には、所定の間隔をあけて上下方向に貫通する開口窓５１ａ、５１ｂと、下方に突出するファンガード保持部材８０ａ、８０ｂが略対称に設けられている。なお、開口窓５１ａ、５１ｂに挟まれた範囲を上方保持爪９０と定義する。
【００２５】
（上方保持爪）
図１３は、図１０、１１および１２に示す上方保持爪の部分を拡大して示す側面図である。図１３において、上方保持爪９０の下面に掘り上げ部９１が形成されている。掘り上げ部９１は後方に向かって深くなるテーパ面９２と、テーパ面９２に連続する略平坦面９３と、略平坦面９３に連続する陥没面９４と、陥没面９３に連続する略垂直面９５を有している。
したがって、ファンガード３０の縦桟３１の横部分３１ａ（図中、破線にて示す）を、テーパ面９２に当接して後方に向かって侵入させると、横部分３１ａは略平坦面９３を乗り越えて陥没面９４に到達することになる。このとき、横部分３１ａは、陥没面９４と略垂直面９５と後記下方保持爪１００の上端面１０２とによって回転自在に拘束されるから、ファンガード３０はこれを支点にして前方から後方に向けて（図において、反時計回りの方向に）回動することができる。
なお、略平坦面９３の形状は限定するものではなく、前記ファンガード３０の回動の際、陥没面９４に侵入した横部分３１ａが容易に抜け出さないものであって、しかも必要に応じて横部分３１ａの抜け出しを可能にするものであればよい。また、テーパ面９２を形成することなく陥没面９４を形成してもよい。
【００２６】
（ファンガード保持部材）
ファンガード保持部材８０ａ、８０ｂは、上方保持爪９０に対して対称に設けられ  ているから、以下の説明において、添え字ａ、ｂを省略する。また、ファンガード保持部材８０は、吹出口１２（本体１０に同じ）に設置された際、風の流れ方向に向けて流線型に形成されているものであるが、理解を容易にするため、図１０においては平面によって形成されているように示している。
ファンガード保持部材８０は、左右方向で扁平な下方保持爪１００と、下方保持爪１００の一方の側面に突出して形成された前方保持爪１１０および後方保持爪１２０とを有している。
【００２７】
（下方保持爪）
下方保持爪１００は、前方の端面の上部に後方に向かって上昇する傾斜端面１０１と、傾斜端１０１に連続する上端面１０２と、上端面１０２に連続する円弧端面１０３と、円弧端面１０３に連続する略垂直端面１０４とを有している。
そして、上方保持爪９０の陥没面９４に到達したファンガード３０の縦桟３１の横部分３１ａは、陥没面９４と一対の上端面１０２とによって保持される、たとえば、軽度の３点曲げの状態で保持されている。
なお、上方保持爪９０の略垂直面９５と下方保持爪１００の略垂直端面１０４とは、何れが前方側に位置してもよい。
【００２８】
（前方保持爪）
前方保持爪１１０は、下方保持爪１００の上方保持爪９０から遠い側面（以下、外側面と称す）に設置され、外側面上の位置Ｅ、Ｆ、およびＧを底面とし、外側面から所定の高さの位置Ｈを頂点とする略三角推状である。なお、面ＥＦＨは下方および後面になる程、外側面から遠ざかる斜面（以下、前方斜面１１１と称す）、面ＥＧＨは斜め前方に傾いた斜面（以下、前方保持面１１２と称す）である。
なお、前方斜面１１１は滑らかな曲面にて形成されているが、前面に相当する範囲乃至上面に相当する範囲をそれぞれ曲率を変えて形成してもよい。
【００２９】
（後方保持爪）
後方保持爪１２０は、下方保持爪１００の外側面上に設置され、該側面上の位置Ｉ、Ｌ、ＫおよびＬＧを底面とし、外側面から所定の高さの位Ｍを頂点とする略四角推状である。なお、面ＭＪＫＬは下方および後面になる程、外側面に近づく斜面（曲面にて形成されている、以下、後方斜面１２１と称す）、面ＩＪＭは斜め前方に傾いた斜面である（以下、後方保持面１２２と称と称す）。
【００３０】
また、前方保持面１１２と後方保持面１２２とは、その間にファンガード３０の縦桟３１の縦部分３１ｂが侵入自在な隙間をあけて配置されている。なお、前方保持面１１２と後方保持面１２２とは平面に限定するものではなく、たとえば、断面円弧状にしておけば縦桟３１の縦部分３１ｂの広い範囲に当接し、これを前後方向で保持することができる。
【００３１】
（ファンガードの設置）
図１４は、図１０、１１および１２に示す左右風向板ベースにファンガードを設置する工程を説明する側面図および正面図である。
図１４の（ａの位相イ）および（ｂ）において、ファンガード３０の縦桟３１の横部分３１ａが、上方保持爪９０の陥没面９４に侵入して、陥没面９４と下方保持爪１００の上端面１０２（図示しない）とによって回動自在に保持されている。
【００３２】
図１４の（ａの位相ロ）および（ｃ）において、ファンガード３０は、陥没面９４に侵入している横部分３１ａを支点にして後方に向かって回動している。このとき、ファンガード３０の縦桟３１の縦部分３１ｂは、前方保持爪１１０の前方斜面１１１に当接して、前方斜面１１１を登るため、略平行であった縦部分３１ｂは略ハ字状に押し広げられている。
【００３３】
図１４の（ａの位相ハ）および（ｄ）において、ファンガード３０の縦桟３１の縦部分３１ｂは、前方斜面１１１を登りきって、前方保持面１１２と後方保持爪１２０の後方保持面１２２との間に嵌入し、前後方向で保持されている。
なお、後方保持爪１２０の高さ（位置Ｉと位置Ｍとの距離）を前方保持面１１２の高さ（位置Ｇと位置Ｈとの距離）より大きくしておけば、縦部分３１ｂが後方に向けて抜け出すことがより確実に防止される。
また、下方保持爪１００の外側面の中央部または下部を正面視で僅かに膨出させておけば、ファンガード３０の縦桟３１の縦部分３１ｂは僅かに略ハ字状に押し広げられるから、縦部分３１ｂは前後に加えて左右方向にも拘束され、より堅固に一体化されることになる。
なお、以上は一対の開口窓５１ａ、５１ｂが設けられている場合について説明しているが、本発明はこれに限定するものではなき。たとえば、開口窓５１が１個であって、ファンガード保持部材が１個であるものは、ファンガード３０のＬ字に形成された縦桟３２を保持するのに好適である。このとき、開口窓５１の縁から所定の範囲を上方保持爪９０とみなすことになる。
【００３４】
［実施形態３］
（左右風向板ベースの型構造−１）
図１５は発明の実施形態３に係る左右風向板ベースの型構造の実施例１を示す側面視の断面図である。
図１５おいて、左右風向板ベース５０を成形するたの左右風向板ベースの型構造３００（以下、型構造と称す）は、上型４００と下型５００と水平方向への水平スライド型６００とを有する簡素な構成である。したがって、左右風向板ベースを安価に成形することができる。
【００３５】
上型４００は、左右風向板ベース５０の上面５４および開口窓５１と、下方保持爪１００の傾斜端面１０１、上端面１０２、円弧端面１０３、略垂直端面１０４、前端面１０５の一部および上方保持爪９０側の側面と、前方保持爪１１０の前方斜面１１１とを成形する。
下型５００は、左右風向板ベース５０の下面５３と、上方保持爪９０の掘り上げ部９１と、下方保持爪１００の前端面１０５の一部および下端面１０６と、前方保持爪１１０の下面１１３、後方保持爪１２０の後方保持面１２２および後方斜面１２１とを成形する。
水平スライド型６００は、左右風向板ベース５０のＶ字状溝５２と、前方保持爪１１０の前方保持面１１２と、後方保持爪１２０の上面１２４とを成形する。
【００３６】
なお、型構造３００における型分割面（パーティングライン）は前記に限定するものではなく、各部位を形成する流線形の形状に応じて適宜変更してもよい。たとえば、後方保持爪１２０の後方斜面１２１を水平スライド型６００によって成形したり、下方保持爪１００の上方保持爪９０側の側面（内側面）を下型によって成形したりしてもよい。
【００３７】
（左右風向板ベースの型構造−２）
図１６は発明の実施形態３に係る左右風向板ベースの型構造の実施例２を示す側面視の断面図である。
図１６において、前方保持爪１１０の下面１１３を下方に、また、後方保持爪１２０の上面１２４を上方に、それぞれ「プラスの抜きテーパ」を確保する形状で延長している（以下、それぞれ、下方延長部１１５および上方延長部１２５と称す）。このとき、縦桟３１の縦部分３１ｂは、前後方向を流線型に形成された保持爪並びに延長部によって保持されることになる。
したがって、型構造３０１は、上型４０１、下型５０１および水平スライド型６０１を有する簡素な構造である。このとき、左前方保持爪１１０の下方延長部１１５の後面は下型によって形成される。一方、後方保持爪１２０の上方延長部１２５の前面は上型によって、また、その後方斜面は水平スライド型によって形成されることになる。よって、縦桟３１の縦部分３１ｂの前後方向が、流線型に形成された保持爪によって保持されることになる。
【産業上の利用可能性】
【００３８】
本発明は以上の構成であるから、各種空気調和機におけるファンガードの保持手段として、および該保持手段を成形するための型構造として広く利用することができる。
【図面の簡単な説明】
【００３９】
【図１】本発明の実施形態１に係る空気調和機示す側面視の断面図。
【図２】本発明の実施形態１に係る空気調和機示す一部断面の斜視図。
【図３】本発明の実施形態１に係る空気調和機示す一部の拡大断面図である。
【図４】空気調和機における上下風向板を説明する部分正面図。
【図５】上下風向板の取り外し工程および取り付け工程を説明する模式図。
【図６】ファンガードを説明する正面図と側面図。
【図７】左右風向板ベースを説明する正面図と側面図。
【図８】ファンガードと左右風向板との組立部材を説明する正面図。
【図９】組立部材の開閉状態を説明する模式図。
【図１０】左右風向板ベースを示す一部を断面した部分斜視図。
【図１１】左右風向板ベースを示す下面図。
【図１２】左右風向板ベースを示す側面視の断面図。
【図１３】上方保持爪の部分を拡大して示す側面図。
【図１４】ファンガードを設置する工程を説明する側面図と正面図。
【図１５】左右風向板ベースの型構造の実施例１を示す断面図。
【図１６】左右風向板ベースの型構造の実施例２を示す断面図。
【符号の説明】
【００４０】
１０  本体、１１ 吸込口、１２ 吹出口、１３ 空気通路、１３ 風路、１４  熱交換器、  １５  送風ファン、２０  左右風向板、３０  ファンガード、３１  縦桟、３１ａ  横部分、３１ｂ  縦部分、３２  縦桟、３２ａ  横部分、３２ｂ  縦部分、３４  横桟、３４ｃ  曲折部分、４０  上下風向板、４１  固定軸、４２  固定軸、４３  固定軸受け、５０  左右風向板ベース、５１  開口窓、５２  Ｖ字状溝、５３  下面、５４  上面、６０  吹出ノズル本体、７０  リミットスイッチ、８０  ファンガード保持部材、９０  上方保持爪、９１  掘り上げ部、１００  下方保持爪、１０２  上端面、１１０  上方保持爪、１１１  前方斜面、１１２  前方保持面、１２０  後方保持爪、１２１  後方斜面、１２２  後方保持面、２００  組立部材、３００  型構造、４００  上型、５００  下型、６００  水平スライド型。
【図１】
2005188871.tif 000003
【図２】
2005188871.tif 000004
【図３】
2005188871.tif 000005
【図４】
2005188871.tif 000006
【図５】
2005188871.tif 000007
【図６】
2005188871.tif 000008
【図７】
2005188871.tif 000009
【図８】
2005188871.tif 000010
【図９】
2005188871.tif 000011
【図１０】
2005188871.tif 000012
【図１１】
2005188871.tif 000013
【図１２】
2005188871.tif 000014
【図１３】
2005188871.tif 000015
【図１４】
2005188871.tif 000016
【図１５】
2005188871.tif 000017
【図１６】
2005188871.tif 000018